(57)【要約】      （修正有）【課題】衛生を確保しながら、煩雑な着脱動作を伴わずに飲食が可能なマスクを提供する。【解決手段】略四角形平面状のマスクであって、マスク本体１の上辺２に沿って、帯状の粘着部３を有し、粘着部３は、アクリル系材料によって作製され、マスク本体１の下側２／３の範囲には、粘着部３を有しない。粘着部３によってマスクの上部を顔面に粘着させることにより、耳かけ紐４を両耳から外しても、着用状態を維持することができる。この状態では、マスクの下部を持ち上げるだけで口の前を開放することができ、簡便な動作で飲食を行うことができる。また、持ち上げたマスクから手を放すだけで口を覆うことができるため、マスクを着用せずに発話することを防止することができる。【選択図】図１
0003231369.tif 000002
【実用新案登録請求の範囲】
【請求項１】
略四角形平面状のマスクであって、
マスク本体の上辺に沿って、帯状の粘着部を有し、
前記粘着部は、アクリル系材料によって作製され、
前記マスク本体の下側２／３の範囲には、粘着部を有しない
マスク。
【考案の詳細な説明】
【技術分野】
【０００１】
本考案は、マスクを着用して会話し、飲食物を口に運ぶ際にマスクをよけて行う、マスク会食に用いるのに適したマスクに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
特に、感染症の大規模な流行を背景に、新しいマナーとしてマスク会食が提案されている。会食の場は一般に、複数人が近距離に集まり、互いの間を飛沫が飛ぶことになるため、感染を招きやすい環境である。マスク会食では、食べ物や飲み物を口に運ぶ際にマスクを外し、声を出す前には再びマスクを着用する。マスク会食を行うことによって、会食を実施しながらも、感染リスクを抑えることができる。しかしながら、頻繁にマスクを着脱しなければならず、マスク会食は煩雑にならざるを得ない。
【０００４】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００５】
耳かけ紐によって固定するマスクの場合、マスク会食では、片方の耳かけ紐を手に取ってマスクを片耳から外し、飲食をして、再び耳かけ紐を手に取り、着用する動作を繰り返すことが求められる。このような動作を、箸やカトラリーを用いたり、会話をしたりしながら行うのは気忙しく、会食の楽しみを減じる原因となりうる。
【０００６】
特許文献１には、着用時に鼻口部において前方に膨出するような立体形状に造形されたマスク本体に、口部に対向する開口部が形成され、開口部を覆う被覆材が取り付けられたことを特徴とする衛生マスクが開示されている。特許文献１の考案によれば、開口部にストローまたはペットボトルの飲み口を挿通させることによって、マスクを取り外すことなく、飲料を摂取することができる。しかしながら、開口部を通じて食事をするのは、マスクを汚す懸念があり、困難であると考えられる。そのため、マスク会食では依然として、頻繁に着脱を繰り返さざるを得ない。したがって、煩雑な着脱を伴わず、容易な動作で飲食が可能なマスクが求められる。
【先行技術文献】
【特許文献】
【０００７】
【特許文献１】実用新案登録第３２２９４１０号公報
【考案の概要】
【考案が解決しようとする課題】
【０００８】
感染症の流行拡大防止のため、飲食物を口に運ぶとき以外はマスクを着用する、マスク会食が提案されている。しかしながら、マスクの着脱を繰り返すのは煩雑である。したがって、衛生を確保しながら、煩雑な着脱動作を伴わずに飲食が可能なマスクが求められている。
【課題を解決するための手段】
【０００９】
上記課題を解決するため、本考案は、略四角形平面状のマスクであって、マスク本体の上辺に沿って、帯状の粘着部を有し、粘着部は、アクリル系材料によって作製され、マスク本体の下側２／３の範囲には、粘着部を有しないマスクを提供する。
【考案の効果】
【００１０】
本考案のマスクは、粘着部によってマスクの上部を顔面に粘着させることにより、耳かけ紐を両耳から外しても、着用状態を維持することができる。この状態では、マスクの下部を持ち上げるだけで口の前を開放することができ、簡便な動作で飲食を行うことができる。また、持ち上げたマスクから手を放すだけで口を覆うことができるため、マスクを着用せずに発話することを防止することができる。したがって、煩雑な着脱動作を伴わずに、マスク会食を実施することが可能となる。
【図面の簡単な説明】
【００１１】
【図１】本考案のマスクを示す平面図である。
【考案を実施するための形態】
【００１２】
本考案のマスクは、マスク本体の材料として、一般的な衛生マスクに用いられる、通気性を有する織布または不織布を用いることができる。マスク本体の形状は、略四角形である。すなわち、４つの頂点を有し、これらの頂点を線で結んだ形状である。ただし、各辺は必ずしも直線でなくてもよく、所望により、曲線で結んだ形状であってもよい。また、頂点は必ずしも角をなさなくてもよく、例えば、滑らかな曲線によって各辺をつないでもよい。
【００１３】
なお、本明細書および実用新案登録請求の範囲において、マスクの一部を指す際の用語は、文脈に反しない限り、別段の記載がある場合を除いて、着用時の位置を基準とする。例えば、「上辺」という用語は、着用時に地面と平行な、地面から遠い側の辺を指す。
【００１４】
本考案のマスクはさらに、基材をずらしながら折り重ねたプリーツを備えてもよく、着用時には広げて変形させることが可能であってもよい。このような場合も、本明細書における「平面状」に含まれるものとする。また、本発明のマスクは、マスク本体を顔面の適当な位置に固定するための固定部材、例えば耳かけ紐を有しうる。
【００１５】
本発明のマスクはさらに、マスクの形状を一定の形状に保持するための形状保持部材、例えばノーズピースを有してもよい。ノーズピースとは、マスク本体の上部に配置され、マスクの形状を、鼻の周辺の形状に合わせて保持する部材である。マスクの形状と顔面の曲線とが一致することによって、マスクと顔面との間の密着性を高めることができる。ただし、本考案のマスクでは、粘着部によってマスクの形状を顔面の形状に合わせて保持することができるため、ノーズピースなどの形状保持部材を有しなくてもよい。
【００１６】
本考案において、粘着部は、マスク本体の上辺に沿って配置される。すなわち、マスクの着用時には、頬の上部と、これらの間にある鼻梁とに当接することになる。なお、粘着部の左右方向の長さは任意であり、マスク本体の上辺全体に配置されなくてもよい。ただし、粘着部の上下方向の幅は、通常１ｃｍ以下であり、面積が増加すると使用者への負荷が大きくなるため、３ｍｍ程度が好ましい。また、マスク本体の下側を持ち上げることができないと、マスク会食を快適に実施する効果を奏しないため、マスク本体の下側２／３の範囲には、粘着部を有しない。
【００１７】
本考案における粘着部は、例えば、マスク本体にアクリル系粘着剤を塗布することによって、作製することができる。あるいは、一方の面にアクリル系粘着剤が塗布された両面粘着テープを、マスク本体に貼付してもよい。ただし、使用者の皮膚に当接する粘着成分は、皮膚への有害作用を生じない、十分な安全性を有することが求められる。また、取り外す際に皮膚にかかる負荷を低減するため、マスクが顔面から落ちない範囲で、弱い粘着力を有することが好ましい。したがって、使用者の顔面に当接する部分には、弱粘着性のアクリル系粘着剤が好ましく用いられる。
【００１８】
このような構造を有することによって、本考案によるマスクは、耳かけ紐を両耳から外しても顔面から落ちず、着用状態を維持することができる。さらに、マスク本体の下側２／３の範囲には粘着部を有しないため、マスク本体と顔面との間に指を差し入れて持ち上げるだけで、飲食が可能な状態に容易に移行することができる。したがって、煩雑な動作を行うことなく、マスク会食を実施するのに好適である。会食を終了した後は、再び耳かけ紐を両耳にかけることによって、会食時よりも高い密着性を提供することができる。
【００１９】
本考案のマスクはさらに、粘着部上にシール台紙を有してもよい。粘着部をシール台紙に粘着させて提供することによって、着用前に不要に粘着せず、利便性を向上させることができる。
【００２０】
なお、本考案は上記の実施形態に限定されるものではなく、本考案の趣旨に基づいて種々変形させることが可能であり、それらを本考案の範囲から排除するものではない。
【符号の説明】
【００２１】
１  マスク本体
２  上辺
３  粘着部
４  耳かけ紐
【図１】
0003231369.tif 000003